(57)【要約】【課題】複数の遊技領域を備えたパチンコ遊技機において、後側の遊技盤の釘調整、遊技盤面の保守整備を簡便に行うことが可能なパチンコ遊技機を提供することを課題とする。【解決手段】パチンコ遊技機１は、前面のガラス扉１０と、ガラス扉１０に面し前面遊技領域２０ａを形成する前面遊技盤２０と、この前面遊技盤２０の後方に設けられ後面遊技領域３０ａを形成する後面遊技盤３０とを備える。前面遊技盤２０は、後面遊技盤３０に対して積層状態（遊技可能状態）となる位置から離間状態（遊技不可状態）となる位置に移動できるように回動自在に台枠２に取付けられている。【選択図】図４
2006116211.tif 000002
【特許請求の範囲】
【請求項１】
前面ガラスに面する前面遊技領域と、この前面遊技領域の後方に形成される後面遊技領域とを備えるとともに、それぞれの遊技領域に玉の流下方向を変更する障害物或いは玉を受け入れる受入口が配置されたパチンコ遊技機において、
後面遊技領域を形成する後面遊技盤と、
この後面遊技盤に対して、積層状態となる位置から離間状態となる位置に移動可能に設けられた前面遊技領域を形成する前面遊技盤と、
を備えたことを特徴とするパチンコ遊技機。
【請求項２】
当該パチンコ遊技機の前面に前記前面遊技領域を覆うように設けられ、開いた状態と閉じた状態とを呈し、その開いた状態とすることにより、前記後面遊技領域に設けられた障害物の調整、或いは後面遊技盤面の保守整備の少なくともいずれかを可能とするために、前記前面遊技盤が後面遊技盤と離間された状態となるように前面遊技盤を移動する操作を可能にするガラス扉を備えることを特徴とする請求項１に記載のパチンコ遊技機。
【請求項３】
前記前面遊技盤は、当該パチンコ遊技機の台枠に前記ガラス扉と前記後面遊技盤との間に位置して回動自在に設けられたことを特徴とする請求項１又は２に記載のパチンコ遊技機。
【請求項４】
前記前面遊技盤が前記後面遊技盤と積層状態となるように前記台枠と前面遊技盤とが係止関係を形成しロックされた状態で固定されるとともに、ロックが解除されたときに前記前面遊技盤を前記後面遊技盤と離間した状態に移動可とするロック部材を前記台枠と前面遊技盤との少なくともいずれか一方に備えることを特徴とする請求項３に記載のパチンコ遊技機。
【請求項５】
遊技者の操作に応じて玉を発射する発射手段によって玉が打ち出される位置から前記前面遊技領域に玉が打ち込まれる位置まで玉を誘導する前面レールと、前記発射手段によって玉が打ち出される位置から前記後面遊技領域に玉が打ち込まれる位置まで玉を誘導する後面レールとを備えたことを特徴とする請求項１ないし４のいずれか１項に記載のパチンコ遊技機。
【請求項６】
遊技者の操作に応じて玉を発射する発射手段によって玉が打ち出される位置から前記前面遊技領域又は後面遊技領域に玉が打ち込まれる位置まで玉を誘導する一のレールを備えたことを特徴とする請求項１ないし４のいずれか１項に記載のパチンコ遊技機。
【発明の詳細な説明】
【技術分野】
【０００１】
本発明は、パチンコ遊技機に関する。
【背景技術】
【０００２】
従来のパチンコ遊技機は１面の遊技領域しか備えておらず、どのパチンコ台であっても変わり映えしないものであった。ところで特許文献１には、遊技領域の一部を２重にする技術が開示されている。
【０００３】
【特許文献１】特開２００１−３３４０２７号公報
【発明の開示】
【発明が解決しようとする課題】
【０００４】
しかしながら、特許文献１における遊技機では、落下する玉がたまたま奥の遊技領域に入ったり、前面の遊技領域に出てきたり、というだけで、視覚的な目新しさはあるものの、遊技性として格別に遊技者の興趣をそそるまでのものではなかった。加えて奥の遊技領域に植設されている釘は触ることができないため、釘の微妙な調整ができないとともに、奥の遊技領域が汚れてしまった場合にも清掃ができない。ところで先に、発明者は、前面ガラス扉に面し前後に遊技盤が積層状態に配置され複数の遊技領域が形成されるとともに、発射された玉がそれら遊技領域のいずれか一に打ち込まれるように構成されたパチンコ遊技機の提案をした。このような遊技機が遊技店に設置された場合、後側の遊技盤の釘調整、遊技盤面の保守整備などができないと実用上不便である。
【０００５】
本発明は上記した背景をもとになされたもので、複数の遊技領域を備えたパチンコ遊技機において、後側の遊技盤の釘調整、遊技盤面の保守整備を簡便に行うことが可能なパチンコ遊技機を提供することを課題とする。
【課題を解決するための手段及び発明の効果】
【０００６】
上記課題を解決するために本発明パチンコ遊技機は、前面ガラスに面する前面遊技領域と、この前面遊技領域の後方に形成される後面遊技領域とを備えるとともに、それぞれの遊技領域に玉の流下方向を変更する障害物或いは玉を受け入れる受入口が配置されたパチンコ遊技機において、
後面遊技領域を形成する後面遊技盤と、
この後面遊技盤に対して、積層状態となる位置から離間状態となる位置に移動可能に設けられた前面遊技領域を形成する前面遊技盤と、
を備えたことを特徴とする。
【０００７】
上記本発明のパチンコ遊技機は、前面遊技領域と、この前面遊技領域の後方に後面遊技領域とを備えた構成としている。そして、前面遊技領域を形成する前面遊技盤は、後面遊技領域を形成する後面遊技盤に対して積層状態に配置されて当該パチンコ遊技機が遊技可能状態から、その後面遊技盤に対して離間状態（遊技不可状態）に移動可能に設けられており、後面遊技盤と離間させた状態で後面遊技領域に設けられた障害物（例えば障害釘）の調整や後面遊技盤面の保守整備を行うことができる。
【０００８】
その際、当該パチンコ遊技機の前面に前面遊技領域を覆うように設けられ、開いた状態と閉じた状態とを呈し、その開いた状態とすることにより、後面遊技領域に設けられた障害物の調整、或いは後面遊技盤面の保守整備の少なくともいずれかを可能とするために、前面遊技盤が後面遊技盤と離間された状態となるように前面遊技盤を移動する操作を可能にするガラス扉を備えるようにできる。このようにガラス扉を開いた状態とすることにより、前面遊技盤を後面遊技盤と離間させる移動操作ができ、後面遊技領域の釘調整、その他清掃などメンテナスを行うことができる。
【０００９】
また、その際、前面遊技盤は、当該パチンコ遊技機の台枠にガラス扉と後面遊技盤との間に位置して回動自在に設けるようにできる。このように前面遊技盤を回動させることにより前面遊技盤を後面遊技盤と離間させる移動操作が簡便にできる。
【００１０】
さらに、その際、前面遊技盤が後面遊技盤と積層状態となるように台枠と前面遊技盤とが係止関係を形成しロックされた状態で固定するとともに、ロックが解除されたときに前面遊技盤を後面遊技盤と離間した状態に移動可とするロック部材を台枠と前面遊技盤との少なくともいずれか一方に備えることができる。このようにロック部材を設けることにより前面遊技盤の固定と移動が確実に、簡単に行え、遊技店における遊技台のメンテナスが容易に行える。
【００１１】
その際、遊技者の操作に応じて玉を発射する発射手段によって玉が打ち出される位置から前面遊技領域に玉が打ち込まれる位置まで玉を誘導する前面レールと、発射手段によって玉が打ち出される位置から後面遊技領域に玉が打ち込まれる位置まで玉を誘導する後面レールとを備えることができる。また、遊技者の操作に応じて玉を発射する発射手段によって玉が打ち出される位置から前面遊技領域又は後面遊技領域に玉が打ち込まれる位置まで玉を誘導する一のレールを備えるようにできる。このように玉を誘導するレールが設けられ前面遊技領域と後面遊技領域とのいずれか一に玉を打ち込むことができるパチンコ遊技機において、前後の遊技領域で遊技性を異ならせることができ、遊技者は面白味のある遊技を楽しむことができる一方、遊技店において複数の遊技領域を備えた遊技機の後面遊技盤面のメンテナスが簡便に行える。
【発明を実施するための最良の形態】
【００１２】
（実施例１）
以下、本発明の実施の形態につき、図面に示す実施例を参照して説明する。図１は本発明のパチンコ遊技機１の正面模式図である。パチンコ遊技機１は、台枠２に蝶番３を介して開閉可能に取り付けられた透明ガラス扉１０と、台枠２の内側に配置されてガラス扉１０によって覆われ、円状に前面遊技領域２０ａを形成する透明板状の前面遊技盤２０と、この前面遊技盤２０の後方に同じく円状に後面遊技領域３０ａを形成する後面遊技盤３０とを有する。
【００１３】
前面遊技盤２０と後面遊技盤３０とは積層状態をなし、前面遊技盤２０が透明板で形成され、後面遊技領域３０ａは遊技者から透視可能となっている。前面遊技盤２０と後面遊技盤３０とが積層状態で遊技可能状態にある。これら遊技盤２０,３０の下方には、玉供給皿４が設けられている。玉供給皿４に準備された玉は、ハンドル５を含んで構成される玉発射機構（発射手段）によって遊技盤２０,３０のいずれか一に打ち込まれるように発射される。前面遊技盤２０又は後面遊技盤３０に達した玉は、その遊技盤２０又は遊技盤３０の面上（前面遊技領域２０ａ又は後面遊技領域３０ａ）を落下する。
【００１４】
図２はガラス扉１０の正面図である。ガラス扉１０は、方形状のガラス枠板１１に方形状のガラス板１２が嵌め込まれており、ガラス枠板１１の円状の開口部よりガラス板１２を通して遊技領域が透視可能となっている。ガラス枠板１１の一側端（前面側から見て左方）の上下２箇所に、蝶番３の軸部３ａ,３ａが取付けられている。
【００１５】
図３は前面遊技盤２０及び後面遊技盤３０の正面図、図４は前面遊技盤２０及び後面遊技盤３０の斜視図である。前面遊技盤２０は、方形状の透明板２１の中央に前面遊技領域２０ａが形成されている。後面遊技盤３０は、方形板状をなし方形状の台枠２の内側の凹部６に固定されている。凹部６は、ガラス扉１０側を前方側、台の裏側にあたる側を後方側としたとき、前後方向に所定深さを有して形成されている。後面遊技盤３０の中央に後面遊技領域３０ａが形成されている。台枠２の一側面（前面側から見て左方）の上下２箇所に、蝶番３の軸部３ａ,３ａが嵌合する軸受部３ｂ,３ｂが設けられている。軸部３ａ,３ａが軸受部３ｂ,３ｂと係合した状態で、ガラス扉１０は台枠２に開閉自在に取付けられている。
【００１６】
前面遊技盤２０には、透明板２１の上部と下部の前面側から見て左方の位置に突出して枢軸部２２,２２が設けられている。一方台枠２の凹部６を形成する上面壁６ａと底面壁６ｂとの前面側から見て左方位置には、前面遊技盤２０の枢軸部２２が嵌合する軸受穴７,７が形成されている。枢軸部２２,２２が軸受穴７,７に嵌合した状態で、前面遊技盤２０は台枠２に回動自在に取付けられる。
【００１７】
そして、透明板２１の上部と下部の前面側から見て右方位置に、前面遊技盤２０の移動を不可とするロック部材として上面と下面に出没自在にスライド式係止片２３,２３が設けられている。係止片２３,２３には把手部２３ａが形成され、把手部２３ａが操作されることによりスライドする。一方台枠２の凹部６の上面壁６ａと底面壁６ｂとの前面側から見て右方には、係止片２３,２３が上面及び下面に出現状態のときに、嵌合して係止する係止穴８,８が設けられている。係止片２３,２３が係止穴８,８に係止した状態で前面遊技盤２０は、ロックされ台枠２に固定された状態を呈する。ロックされた状態で前面遊技盤２０と後面遊技盤３０とは積層状態となり、遊技可能状態となる。係止片２３,２３をスライドさせて、非出現状態としロックを解除することにより、前面遊技盤２０は枢軸部２２,２２を中心にして回動可能となり、後面遊技盤３０と離間した状態（遊技不可状態）に移動ができる。
【００１８】
前面遊技盤２０は、ガラス扉１０と後面遊技盤３０との間に層状に配置され、かつ回動自在に設けられる。ガラス扉１０を開けて係止片２３,２３をスライドさせる（ロックを解除する）ことにより、前面遊技盤２０が後面遊技盤３０と離間した状態を呈し、後面遊技領域３０ａの釘調整や清掃などのメンテナスを行うことができる。
【００１９】
なお、台枠２の前面側から見て右方中央位置に施錠手段として施錠部材（例えばシリンダー錠）９が取付けられている。遊技店の店員らが施錠部材９に鍵を挿入して回転するなどの操作をすることにより、ガラス扉１０を開いた状態とすることができるようにしている。なお、台枠２は、遊技台を固定する機枠（図示せず）に回動自在に枢支された構成となっており、開け閉めされるものである。
【００２０】
前面遊技２０と後面遊技盤３０の盤面上の構成について説明する。前面遊技盤２０の面上には中央に前面始動入賞口２４が配置されている。後面遊技盤３０の面上には、その中央付近に液晶表示部３２が配設されている。液晶表示部３２には、３つのキャラクタ（数字）で構成された図柄が変動表示される特別図柄表示部３２ａが設けられている。液晶表示部３２の下方には、左右に後面始動入賞口３３,３３が配置されている。
【００２１】
前面始動入賞口２４、後面始動入賞口３３,３３への入賞に基づいて、大当たりの抽選が行われる。前面始動入賞口２４の下方には、抽選結果が通常の大当たり図柄であったときに開放する前面大入賞口２５と、玉を回収するための前面アウト口２６とが設けられている。後面始動入賞口３３,３３の下方には、抽選結果が特定の大当たり図柄であったときに開放する後面大入賞口３４と、玉を回収するための後面アウト口３５とが設けられている。
【００２２】
図１において、後面遊技盤３０の面上に配置された後面始動入賞口３３,３３、後面大入賞口３４及び前面移動口３６ａ,３６ｂ,３６ｃなどの玉の受入口や液晶表示部３２などは破線で示している。また、前面遊技盤２０及び後面遊技盤３０のそれぞれ面上には玉の流下方向を変更する障害物として、障害釘１９が複数設けられている。
【００２３】
液晶表示部３２において、特別図柄表示部３２ａの上方には保留玉表示部３２ｂが設けられている。保留玉表示部３２ｂでは、前面始動入賞口２４及び後面始動入賞口３３,３３の入賞により得られる大当たり抽選結果を保留情報として記憶し、記憶された保留数を表示するものである。本実施例では特別図柄の保留数（保留玉）の上限は４個に設定されている。
【００２４】
そして、前面遊技領域２０ａと後面遊技領域３０ａとの間を玉が移動する移動口が前面遊技盤２０と後面遊技盤３０とに複数設けられている。前面遊技盤２０の面上には、上方左右に後面移動口２７ａ,２７ｂ、中央左右に後面移動口２７ｃ,２７ｄがそれぞれ設けられている。後面遊技盤３０の面上には、液晶表示部３２の下方中央に前面移動口３６ａ、液晶表示部３２の左右に前面移動口３６ｂ,３６ｃがそれぞれ設けられている。
【００２５】
玉が発射装置（図示せず）から打ち出される位置から遊技領域２０ａ,３０ａまで玉を誘導するレールとして、前面遊技領域２０ａに対応して前面レール２８、後面遊技領域３０ａに対応して後面レール３７がそれぞれ設けられている（図３及び図４参照）。
【００２６】
発射装置から打ち出される玉は、玉の発射方向を切替える発射方向切替手段（図示せず）によって、前面レール２８又は後面レール３７のいずれかに発射される。発射方向切替手段としては、例えば玉を打撃する発射ハンマを前面レール２８又は後面レール３７のいずれかに向けて玉を発射するように発射方向を切替えるように構成できる。通常状態では前面レール２８に向けて玉が発射され、前面遊技領域２０ａに玉が打込まれるようにできる。
【００２７】
次に、動作について説明する。通常状態では、発射された玉は前面遊技領域２０ａへ打ち込まれる。前面始動入賞口２４へ入賞し、前面始動入賞口２４に付設された始動入賞検出器（図示せず）により玉を検知すると、大当たり抽選が行われる。
【００２８】
抽選結果に基づいて、特別図柄表示部３２ａにて図柄が変動表示された後停止する。その停止図柄として大当たり図柄が表示されたときに大当たりが発生する。通常の大当たり図柄が表示されたときは前面大入賞口２５の開閉動作が所定回数（例えば１５ラウンド）実行され、特定の大当たり図柄が表示されたときは後面大入賞口３４の開閉動作が所定回数実行される。大当たり中は、前面大入賞口２５が開放されているときは前面遊技領域２０ａに自動的に玉が打ち込まれ、一方後面大入賞口３４が開放されているときは後面遊技領域３０ａに自動的に玉が打ち込まれる制御が行われる。
【００２９】
次に、図５及び図６は後面移動口及び前面移動口の構造を示す。後面移動口２７ａ,２７ｂ,２７ｃ,２７ｄは同じ構造をしており、後面移動口２７ａを代表として説明する。後面移動口２７ａは、上面に方形状の開口２７１と、後面に玉が通過可能な円形状の開口２７２とを有し、後面の開口２７２は前面遊技盤２０に設けられた挿通孔３２７と連通している。前面遊技領域２０ａに打ち込まれた玉が後面移動口２７ａに入った場合、後面遊技領域３０ａに排出される。
【００３０】
前面移動口３６ｂ,３６ｃは同じ構造をしており、前面移動口３６ｂを代表として説明する。前面移動口３６ｂは、上面に方形状の開口３６１と、前面に玉が通過可能な円形状の開口３６２とを有し、前面の開口３６２は前面遊技盤２０に設けられた挿通孔３３６と連通している。後面遊技領域３０ａに打ち込まれた玉が前面移動口３６ｂに入った場合、前面遊技領域２０ａに排出される。
【００３１】
次に、前面移動口３６ａについて説明する。前面移動口３６ａは、図４に示すように液晶表示部３２を収容するハウジング５１の下部ステージの後方に設けられた挿通孔５２と連通している。ハウジング５１の天部には玉が通過可能な複数（本実施例では２個）の挿通孔５３が形成されている。後面遊技領域３０ａに打ち込まれた玉がこの挿通孔５３を通過し、ハウジング５１内に入り、下部の挿通孔５２を通過して、前面移動口３６ａから前面遊技領域２０ａに排出される。前面移動口３６ａの前面開口３６３は、前面始動入賞口２４の真上に位置し、前面始動入賞口２４に玉が入賞し易くしている。
【００３２】
図７は後面始動入賞口の構造を示す。後面始動入賞口３３,３３は同じ構造をしている。後面始動入賞口３３は、上面に開口３３１と、後面に円形状の開口３３２とを有し、後面開口３３２は後面遊技盤３０に設けられた挿通孔３３３と連通している。後面始動入賞口３３に入賞した玉はそのまま台の裏側に導かれる。後面始動入賞口３３の近傍には始動入賞検出器（図示せず）が設けられている。
【００３３】
そして、前面遊技盤２０に設けられた前面始動入賞口２４に入賞した玉は、後面遊技盤３０を挿通する流通路２４ａを通過して台の裏側に導かれる（図３及び図４参照）。また、前面大入賞口２５に入賞した玉は、流通路２５ａを通過して台の裏側に導かれる。さらに、後面遊技盤３０に設けられた後面大入賞口３４に入賞した玉は、そのまま台の裏側に導かれる。また、前面アウト口２６は前面遊技盤２０に、また後面アウト口３５は後面遊技盤３０に独立に設けられ、玉を別々に回収するようにしている。
【００３４】
このように前面遊技領域２０ａと、この前面遊技領域２０ａの後方に後面遊技領域３０ａとを備えたパチンコ遊技機１においては、前面遊技領域２０ａと後面遊技領域３０ａとのいずれの遊技領域に玉が打ち込まれるかによって、遊技性を異ならせることができ、遊技者は面白味のある遊技を楽しむことができる。
【００３５】
そして、前面遊技領域２０ａを形成する前面遊技盤２０は、後面遊技領域３０ａを形成する後面遊技盤３０と積層状態に配置されてパチンコ遊技機１が遊技可能状態から、その後面遊技盤３０と離間され遊技不可状態に移動可能に設けられており、ガラス扉１０を開いた状態として、係止片２３,２３をスライドさせてロックを解除することにより前面遊技盤２０を回動させ後面遊技盤３０と離間させた状態にできる。この離間状態で後面遊技領域３０ａに設けられた障害釘１９の調整や後面遊技盤３０の盤面の清掃など保守整備を行うことができる。遊技店において複数遊技領域を備えた遊技機のメンテナスが簡便に行える。
【００３６】
（実施例２）
図８〜図１１は第２実施例を示す。第１実施例では通常状態において前面遊技領域に玉が打込まれる例を示したが、第２実施例では、通常状態において後面遊技領域に玉が打ち込まれるように構成された例を示す。図８は第２実施例のパチンコ遊技機１０１の正面模式図、図９は前面遊技盤２０及び後面遊技盤３０の正面図、図１０は前面遊技盤２０及び後面遊技盤３０の斜視図を示す。パチンコ遊技機１０１は、前面遊技盤２０には発射レールを設けてなく、後面遊技盤３０に発射装置（図示せず）から発射された玉を誘導する１本のレール１３７を設けている。前面遊技盤２０の上部には開口１１３が形成され、この開口１１３によって前面遊技領域２０ａと後面遊技領域３０ａとは連通している。
【００３７】
レール１３７の飛び出し口から離間して後面遊技領域３０ａを横断した反対側部分にクッション材で形成された跳ね返し部材１１４を後面遊技盤３０の内周縁部に設けている。この跳ね返し部材１１４の跳ね返し面は、ガラス扉１０側を前方側、台の裏側にあたる側を後方側としたとき、前後方向にほぼ真っ直ぐに形成され、玉の入射方向に対し概ね前後方向の軌道変更なしに玉を跳ね返すものである。従って、発射強さが強いときには、玉はこの跳ね返し部材１１４に衝突して後面遊技領域３０ａ上に概ね跳ね返される。
【００３８】
前面遊技盤２０の上部には、玉が後面遊技領域３０ａに落下する位置において、後面遊技領域３０ａに張り出した玉受入部１１５を複数（本実施例では３個）設けている。玉受入部１１５は、後面壁及び両側壁と、これら後面壁及び両側壁で形成され前面遊技領域２０ａと連通する溝部１１５ａとを有する。その後面壁は前方にいくほど下方に傾斜した形状としている。この玉受入部１１５に入った玉は前面遊技領域２０ａに導かれる（図９及び図１０参照）。従って、レール１３７の飛び出し口から後面遊技領域３０ａに向けて打ち出された玉は、概ね後面遊技領域３０ａに向けて落下し、一部はこの玉受入部１１５に入って前面遊技領域２０ａに導かれる。玉受入部１１５の数量によって、前面遊技領域２０ａと後面遊技領域３０ａとへの玉の振分け量は調整される。玉受入部１１５は後面遊技領域３０ａに落下する玉を前面遊技領域２０ａへ誘導する玉誘導部材として機能するものである。
【００３９】
図１１は、第２実施例におけるガラス扉１０及び前面遊技盤２０が台枠２に回動自在に取付けられた状態を示す斜視図である。ガラス扉１０は第１実施例と同じである。ロック部材としてスライド式係止片１２３,１２３は前面遊技盤２０の透明板２１の前面側から見て右方位置に、右側面から出没自在に設けられている。係止片１２３,１２３は把手部１２３ａ,１２３ａを有する。一方台枠２の凹部６の前面側から見て右方位置（側面壁６ｃ）には、係止片１２３,１２３が右側面に出現状態のときに、嵌合して係止する係止穴１０８,１０８が設けられている（図１０参照）。なお、第２実施例では、後面移動口は、第１実施例における４個から２個（移動口２７c,２７ｄ）に変更している。また、図８〜図１１において図１、図２、図３及び図４と同一の機能を有する部分は同一符号を付して説明を省略する。
【００４０】
このように前面遊技領域２０ａと、この前面遊技領域２０ａの後方に後面遊技領域３０ａとを備え、通常状態で後面遊技領域３０に玉が打込まれるように構成したパチンコ遊技機１０１においては、前面遊技盤２０の上部に玉受入れ部１１５が設けられ、発射された玉は後面遊技領域３０ａに向けて落下し、そのまま後面遊技領域３０ａに落下するか、或いは玉受入れ部１１５に入って前面遊技領域２０ａに導かれるか、いずれかに振分けられる。前面遊技領域２０ａと後面遊技領域３０ａとのいずれの遊技領域に玉が打ち込まれるかによって、遊技性を異ならせることができ、遊技者は面白味のある遊技を楽しむことができる。
【００４１】
また、ガラス扉１０を開いた状態として、係止片１２３,１２３をスライドさせてロックを解除することにより前面遊技盤２０を回動させ後面遊技盤３０と離間させた状態にできる。そして、このようなパチンコ遊技機のように、複数の遊技領域を前後に備える場合、それら遊技領域と玉の発射装置とを誘導レールによっていかに繋げて玉を打ち込む（或いは打ち分ける）構成とするかの点に工夫が必要であるが、後面にレールを備えた方が製造がし易いことがある。このような遊技機において上記のように構成することにより、後面遊技盤３０の盤面のメンテナンスを簡便に行うことができる。
【００４２】
なお、本実施例に次のような変形例を加えてもよい。
（１）施錠部材９は、ガラス扉１０の開閉と、台枠２を回動自在に枢支する機枠に対する固定状態から離間状態への変位とを可能にする構成とし、鍵を回す方向により上記動作のいずれを行うかが決められており、さらにその鍵を使って前面遊技盤２０の移動を可能にさせるようにしてもよい。例えば鍵を右に回すとガラス扉１０が開き、一方左に回すと台枠２が機枠から離間状態となるような鍵構造とし、そのガラス扉１０が開いた状態で再度鍵を右に回すと前面遊技盤２０が後面遊技盤３０と離間する状態となるように構成してもよい。
【００４３】
（２）実施例では前面と後面との双方に玉の発射レールを備えた遊技機において、前面遊技盤２０が後面遊技盤３０と離間した状態に移動されるとき、前面レール２８もともに移動されるように構成されているが、前面レールは移動されず、前面レールを除いた部分が移動される構成としてもよい。
（３）前面遊技盤２０は台枠２から取外し可能な構成としてもよい。
【００４４】
（４）台枠２は、例えば玉供給皿４、ハンドル５を含んで一体となった構成とすることもできる。
（５）ロック部材としての係止片２３（１２３）は、台枠２と前面遊技盤２０との少なくともいずれか一方に備えるようにしてもよい。
【図面の簡単な説明】
【００４５】
【図１】本発明のパチンコ遊技機の正面模式図。
【図２】ガラス扉の正面図。
【図３】前面遊技盤及び後面遊技盤の正面図。
【図４】前面遊技盤及び後面遊技盤の斜視図。
【図５】後面移動口の構造を示す図。
【図６】前面移動口の構造を示す図。
【図７】後面始動入賞口の構造を示す図。
【図８】第２実施例のパチンコ遊技機の正面模式図。
【図９】第２実施例の前面遊技盤及び後面遊技盤の正面図。
【図１０】第２実施例の前面遊技盤及び後面遊技盤の斜視図。
【図１１】第２実施例のガラス扉及び前面遊技盤が台枠に回動自在に取付けられた状態を示す斜視図。
【符号の説明】
【００４６】
１    パチンコ遊技機
２    台枠
３    蝶番
７    軸受穴
８    係止穴
１０  ガラス扉
１９  障害釘（障害物）
２０  前面遊技盤
２０ａ  前面遊技領域
２２  軸部
２３,１２３  係止片（ロック部材）
２４  前面始動入賞口
２８  前面レール
３０  後面遊技盤
３０ａ  後面遊技領域
３３  後面始動入賞口
３７  後面レール
１３７  レール
【図１】
2006116211.tif 000003
【図２】
2006116211.tif 000004
【図３】
2006116211.tif 000005
【図４】
2006116211.tif 000006
【図５】
2006116211.tif 000007
【図６】
2006116211.tif 000008
【図７】
2006116211.tif 000009
【図８】
2006116211.tif 000010
【図９】
2006116211.tif 000011
【図１０】
2006116211.tif 000012
【図１１】
2006116211.tif 000013